(57)【要約】【課題】容易に且つ常に定量の内容物を吐出できる定量取り出し用キャップを提供する。【解決手段】容器本体の開口部を下方に向けると容器本体内から一定量の粉粒体を外部に吐出させる定量取り出し用キャップであって、一定量の粉粒体を計量保持する計量貯留部に連通し、開口部を下方に向けた際前記計量貯留部の粉粒体を外部に吐出させる排出口を、定量取り出し用キャップの上部側方で容器本体の中心線に対して下向きに傾斜させた開口面に開口させた。これにより、容器本体を完全に倒立させることなく適度な角度傾斜させることにより内容物を確実に吐出させることができる。【選択図】図１
2004123139.tif 000002
【特許請求の範囲】
【請求項１】
容器本体上部の開口部に取り付けられ、前記開口部を下方に向けると前記容器本体内から一定量の粉粒体を外部に吐出させる定量取り出し用キャップであって、前記本体容器を倒立させた後正立させると一定量の前記粉粒体を計量保持する計量貯留部を内部に備え、前記計量貯留部に連通し、前記計量貯留部から前記粉粒体を外部に吐出させる排出口を、前記定量取り出し用キャップの上部側方で該定量取り出し用キャップの中心線に対して下向きに傾斜させた開口面に開口させたことを特徴とする定量取り出し用キャップ。
【請求項２】
容器本体上部の開口部に取り付けられ、前記開口部を下方に向けると前記容器本体内から一定量の粉粒体を外部に吐出させる定量取り出し用キャップであって、前記開口部の突出した注出口となる開口筒体が形成された底部材と、前記底部材の周縁から上方に延びる外筒部材と、前記外筒部材の上面を覆い、前記開口筒体の上端部と接触しないように配設された頂壁と、前記頂壁の下面から前記外筒部材及び前記底部材と接触しないように、かつ前記開口筒体の外周面を所定の間隙を隔てて覆うように垂下された筒状のスカート部と、前記頂壁の側方で前記定量取り出し用キャップの中心線に対して下向きに傾斜された開口面と、前記開口面に開口され、前記スカート部と前記外筒部材との間に形成された貯留室に連通した排出口と、前記排出口を開閉自在に覆う蓋とを備えて構成したことを特徴とした定量取り出し用キャップ。
【請求項３】
前記蓋は、前記排出口を覆う開閉自在の蓋本体と、前記蓋本体に連結し前記蓋が閉じられた状態で前記頂壁上に配設され、前記蓋の開放動作に伴い前記頂壁表面に当接し、前記蓋が開放端まで回動されると前記開口面上に移動して該開口面表面に当接する中足とを備えて構成したことを特徴とする請求項２に記載の定量取り出しキャップ。
【請求項４】
前記定量取り出し用キャップ上面のほぼ中央に蓋支持部を屈曲自在に設け、前記蓋支持部と前記蓋本体とを前記開口面と前記頂壁との境界付近で屈曲自在に連結し、前記蓋支持部と蓋本体との連結部の中央に前記蓋支持部に向けてコの字状の切り溝を形成して前記蓋本体から延びる前記中足を設けたことを特徴とした請求項３に記載の定量取り出し用キャップ。
【発明の詳細な説明】
【０００１】
【発明の属する技術分野】
本発明は、容器本体の開口部に取り付けられ、開口部を下方に向けることにより一定量の粉粒体を容器本体から取り出すことができる定量取り出し用キャップに関し、特に容器本体を完全に倒立させることなく粉粒体を円滑に吐出させ、常に一定量の粉粒体を容器本体から取り出すことができる定量取り出し用キャップに関する。
【０００２】
【従来の技術】
従来、洗剤や漂白剤など粉状あるいは粒状の粉粒体を収容する容器であって、容器を倒立状態とすることで一定量の内容物を簡単な操作で繰り返し取り出すことができる定量取出容器が知られている。これは例えば、容器を倒立状態とすることで容器内の粉粒体をキャップ内に設けられた計量室に貯め、次いで容器を正立状態とすることでこの計量室内の粉粒体を容器とキャップとの間の貯留室に移し、再び容器を倒立状態としたとき、貯留室内に貯留された一定量の粉粒体を排出口から排出するとともに再度計量室に一定量溜め、排出後容器を正立状態に戻したとき計量室から再び粉粒体を貯留室に貯留させることにより、一定量の内容物を簡単な操作で繰り返し取り出せるように構成されている。（例えば、特許文献１参照。）。
【０００３】
また、定量排出を最後まで行うことを可能とした容器が知られている。この発明は、定量排出装置の排出口部の中心軸芯を排出流路の中心軸芯より容器本体の開口部の中央側に変位させて形成し、これにより偏芯ボトル内に残存する粉末洗剤の量が少なくなっても、傾斜角度を大きくした分だけ流入口部から粉末洗剤が予備室に流れ込むことから、使用当初から偏芯ボトルを大きく傾ける習慣が付き、偏芯ボトル内に粉末洗剤が少なくなってきても、偏芯ボトルを大きく傾けた分だけ粉末洗剤が予備室に流れ込み易く、粉末洗剤が無くなったと錯覚することが少なく、最後まで定量排出を行わせるようにした発明である。（例えば、特許文献２参照。）。
【０００４】
また洗剤等の内容物が吸湿したり容器内部に埃が侵入するのを防止するため排出口には排出口を閉鎖する蓋が開閉自在に取り付けられている。この排出口に設けられた蓋が開放時に固定されないと排出口から排出される粉粒体に触れて、粉粒体の落下位置を乱すことがある。そのため従来は、三点ヒンジ等の開閉機構を蓋に設け、蓋が開閉のいずれの位置でも所定の位置に保持されるようにしていた。（例えば、特許文献１参照。）。
【０００５】
【特許文献１】
特開平９‐３０１４０４号公報
【特許文献２】
特開平９−９９９６６号公報
【発明が解決しようとする課題】
しかしながら従来の定量取出容器は、キャップの上面を定量取出容器の中心線に対して垂直に形成し、そこに粉粒体の排出口を形成していた。そのため、定量取出容器を完全に倒立させなければキャップ内部に粉粒体が残留し排出口から所定量全量の粉粒体が排出されないことがあり、粉粒体を取り出す際には定量取出容器を完全に真下に向けて倒立させ、更にその状態で定量取出容器の下部を左右に若干振って排出させていた。
【０００６】
したがって洗剤など粉粒体の取り出しに手間がかかり、また定量取出容器の下部を左右に振っていたことから一箇所に向かって粉粒体を円滑に排出させることができず、排出された粉粒体が四方に散らばってしまうことがあった。一方定量取出容器を完全に倒立させずキャップ内に粉粒体が残留してしまうと、取り出し量が一定にならず、取り出す度に粉粒体の量が異なるという問題があった。
【０００７】
本発明では、上記課題を解決し、定量取出容器を完全に倒立させることなく定量取出容器を所定の角度に傾斜させることで円滑に、且つ常に一定量の粉粒体を容易に排出口から吐出させることができる定量取り出し用キャップを提供することを目的とする。
【０００８】
また、簡易な構造で排出口に設けられた蓋を開閉のいずれの状態でも保持でき、また開閉に伴い適度なクリック感が得られる使い勝手のよい小型の蓋を有する定量取り出し用キャップを提供することを目的とする。
【０００９】
【課題を解決するための手段】
本発明では上記課題を解決するため、次にように定量取り出し用キャップを構成した。
【００１０】
すなわち、請求項１に記載の発明は、容器本体上部の開口部に取り付けられ、前記開口部を下方に向けると前記容器本体内から一定量の粉粒体を外部に吐出させる定量取り出し用キャップであって、前記本体容器を倒立させた後正立させると一定量の前記粉粒体を計量保持する計量貯留部を内部に備え、前記計量貯留部に連通し、前記計量貯留部から前記粉粒体を外部に吐出させる排出口を、前記定量取り出し用キャップの上部側方で該定量取り出し用キャップの中心線に対して下向きに傾斜させた開口面に開口させて定量取り出し用キャップを構成した。
【００１１】
請求項２に記載の発明は、容器本体上部の開口部に取り付けられ、前記開口部を下方に向けると前記容器本体内から一定量の粉粒体を外部に吐出させる定量取り出し用キャップであって、前記開口部の突出した注出口となる開口筒体が形成された底部材と、前記底部材の周縁から上方に延びる外筒部材と、前記外筒部材の上面を覆い、前記開口筒体の上端部と接触しないように配設された頂壁と、前記頂壁の下面から前記外筒部材及び前記底部材と接触しないように、かつ前記開口筒体の外周面を所定の間隙を隔てて覆うように垂下された筒状のスカート部と、前記頂壁の側方で前記定量取り出し用キャップの中心線に対して下向きに傾斜された開口面と、前記開口面に開口され、前記スカート部と前記外筒部材との間に形成された貯留室に連通した排出口と、前記排出口を開閉自在に覆う蓋とを備えて定量取り出し用キャップを構成した。
【００１２】
請求項１または２に記載の発明によれば、排出口が傾斜しているため容器本体を完全に倒立させることなく粉粒体を所定量確実に吐出でき、使い勝手がよく、常にほぼ一定の量を取り出すことができる。また、傾斜させた開口面に排出口を開口させたため、排出口を覆う蓋を小型にでき、邪魔にならず使い勝手を向上でき、また樹脂の使用量を削減し、軽量化できる。
【００１３】
請求項３に記載の発明は、請求項２に記載の定量取り出しキャップであって、前記蓋は、前記排出口を覆う開閉自在の蓋本体と、前記蓋本体に連結し前記蓋が閉じられた状態で前記頂壁上に配設され、前記蓋の開放動作に伴い前記頂壁表面に当接し、前記蓋が開放端まで回動されると前記開口面上に移動して該開口面表面に当接する中足とを備えて構成した。
【００１４】
請求項４に記載の発明は、請求項３に記載の定量取り出しキャップであって、前記定量取り出し用キャップ上面のほぼ中央に蓋支持部を屈曲自在に設け、前記蓋支持部と前記蓋本体とを前記開口面と前記頂壁との境界付近で屈曲自在に連結し、前記蓋支持部と蓋本体との連結部の中央に前記蓋支持部に向けてコの字状の切り溝を形成して前記蓋本体から延びる前記中足を設けて定量取り出し用キャップを構成した。
【００１５】
請求項３または４に記載の発明によれば、排出口が傾斜しているため容器本体を完全に倒立させることなく粉粒体を所定量確実に吐出でき、常にほぼ一定の量を取り出すことができ、しかも蓋本体を開放時に固定でき、かつ開閉に伴い適度なクリック感が得られ、更に蓋を小型にできるため邪魔にならず使い勝手を向上でき、また樹脂の使用量を削減し、軽量化できる。
【発明の実施の形態】
以下、本発明にかかる定量取り出し用キャップの実施の一形態を図面を参照して説明する。図１は、定量取り出し用キャップ１を示す断面図で、定量取り出し用キャップ１が、容器本体２の上部に形成された開口部３のネジ部４に螺着されている。
【００１６】
容器本体２は、図７に示すように合成樹脂あるいはガラスなどで形成された有底筒状の容器で、上部の開口部３から投入された洗剤、漂白剤などの流動性の粉粒体５０を内部に収容している。この容器本体２の開口部３に定量取り出し用キャップ１を取り付けると定量取出容器５が構成され、定量取出容器５を倒立させると粉粒体５０を定量取り出すことができる。
【００１７】
定量取り出し用キャップ１は、全体が有蓋円筒状の合成樹脂などからなる成形品であり、概略、底部材１０と、外筒部材１１と、頂壁１２と、蓋１３等から構成され、内部に計量室２０、貯留室２２が形成されている。
【００１８】
外筒部材１１は、定量取り出し用キャップ１の外周壁を形成する円筒体であって、その内周面中間部に底部材１０がアンダーカット、溶着等により固着され、また下端部内周面に、開口部３のネジ部４と螺合する雌ネジ１４が成形されている。
【００１９】
外筒部材１１の上端には一体に頂壁１２が成形され、頂壁１２の内面下部にはスカート部１５が一体に垂下されている。スカート部１５は、その下端部が底部材１０と接触しないように、かつ後述する開口筒体２５の外周面を所定の間隙を隔てて覆うように配設されている。
【００２０】
底部材１０は、底板２４の中央部に上方に延び、開口部３の突出した注出口となる開口筒体２５が形成されている。開口筒体２５は、前述したようにスカート部１５の内部に所定の間隔を空けてその先端を侵入させている。この開口筒体２５とスカート部１５の内周と頂壁１２の内面とで、粉粒体５０の計量を行う計量室２０を構成している。更に開口筒体２５の外周と外筒部材１１（底部材１０）の内周と底板２４とで粉粒体５０を貯留する貯留室２２を構成している。
【００２１】
また頂壁１２は、図１の左方が下方に向いた開口面１７となっており、その開口面１７の面内であって、スカート部１５の外周と外筒部材１１の内周の間に図２に示すように排出口１６が形成してある。開口面１７の傾斜角度αは水平から２０°ないし６０゜程度で、内容物である粉粒体５０を取り出すために容器本体２を自然に傾けた際、下方に向いた開口面１７が水平に近くなる角度が好ましい。したがって開口面１７の傾斜角度αは、容器本体２の直径、長さ、全体の重量、使用方法等によって適宜決定される。
【００２２】
図２に定量取り出し用キャップ１の成型時の状態、つまり頂壁１２の連結部Ａから蓋１３を開放させた状態を示す。蓋１３は、図１に示すように頂壁１２の中央部分に位置する連結部Ａで頂壁１２に屈曲自在に連結されており、更に開口面１７と頂壁１２との境界上の屈曲部Ｂで屈曲自在となっている。連結部Ａと屈曲部Ｂとの間がホック１９を下面に有する蓋支持部２９であり、屈曲部Ｂから先端までが蓋本体２７となっている。すなわち、成型された状態から連結部Ａを屈曲させてホック１９を締結すると蓋支持部２９が頂壁１２に固定され、屈曲部Ｂで蓋本体２７が屈曲自在に支持され、蓋１３は屈曲部Ｂで蓋本体２７が屈曲して開閉動作がなされる。蓋本体２７の内側面には、排出口１６の内面に係合する係合壁２８が設けられ、蓋１３を閉じると蓋本体２７が係合される。
【００２３】
次に蓋１３について詳しく説明する。蓋１３には、屈曲部Ｂの位置で左右両端に折り溝３１が形成され、更にこの折り溝３１の間には図３に示すようにコの字状に切り溝としての切断線３２が蓋支持部２９内に形成されている。このコの字状の切断線３２により、図６に示すように蓋１３に中足３０が形成される。中足３０は、蓋上面２７と角度α屈曲し、蓋１３を閉じると頂壁１２と平行に配設される。
【００２４】
この中足３０は、蓋１３を閉じた状態ではいずれの面とも接触せず、蓋１３を開放させるとその回動動作に伴って回動し、頂壁１２の上面に接触する。更に蓋本体２７を回動させると中足３０やその周辺部分に弾性変形を引き起こし、蓋１３に開放方向の抵抗力を生じさせる。そして蓋１３を完全に開放させると、中足３０が頂壁１２と開口面１７の境界を越えて開口面１７側に移動する。そのため開放動による抵抗は解消され、しかも開口面１７の表面に接するので図４、図５に示すように蓋１３が開放状態で保持される。
【００２５】
また、蓋１３を閉鎖させるときも中足３０や中足３０の周辺部分が、中足３０が開口面１７と頂壁１２の境界を越える間に弾性変形し適度な抵抗力と開放感、すなわちクリック感を感じさせる。
【００２６】
次に、この定量取り出し用キャップ１を備えた定量取出容器５の使用形態について図を用いて説明する。まず定量取出容器５に洗剤などの粉粒体５０を充填するには、定量取り出し用キャップ１を回転させて容器本体２と分離し、開口された開口部３から粉粒体５０を容器本体２に充填した後、容器本体２に定量取り出し用キャップ１を螺着する。その状態を図７に示す。
【００２７】
粉粒体５０が充填された定量取出容器５から粉粒体５０を定量取り出す場合は、図８に示すように、定量取出容器５を蓋１３を閉じたまま底部を上にした倒立状態とする。この操作により容器本体２内の粉粒体５０は、開口筒体２５を通過し、計量室２０内に流入する。計量室２０内では粉粒体５０の面位が上昇して開口筒体２５の開口部を塞ぐようになると、粉粒体５０の落下は自然に停止する。これにより、常にほぼ一定量の粉粒体５０が計量室２０により計量される。
【００２８】
続いて、定量取出容器５を正立させると、図９に示すように、計量室２０で計量された粉粒体５０が開口筒体２５の外周面とスカート部１５の内周面との間隙を通り、底部材１０と外筒部材１１の内側と開口筒体２５の外方で形成する貯留室２２に流入する。これにより計量室２０で計量された所定量の粉粒体５０が貯留室２２に貯留される。
【００２９】
そして蓋１３を開き定量取出容器５を傾斜させて開口部３を下方に向けると、貯留室２２内にある粉粒体５０は排出口１６から排出される。排出口１６は角度αに傾斜された開口面１７に形成してあることから、定量取出容器５を角度α傾斜させることにより排出口１６の開口方向が真下に向き、貯留室２２からの粉粒体５０は定量取り出し用キャップ１内に残留することなく排出口１６から円滑に排出される。この際、容器本体２内の粉粒体５０が開口筒体２５から流出しても、その粉粒体５０は計量室２０に蓄積計量されるので、排出口１６から排出されることはない。
【００３０】
更に蓋１３には中足３０が形成されていることから、蓋本体２７を開閉させるとき開閉動作に適度なクリック感が発生し、かつ中足３０により開放した状態で蓋本体２７が保持され、しかも蓋本体２７は開口面１７のみを覆うことから小型にでき、使い勝手がよく、かつ吐出されている粉粒体５０が蓋本体２７に接触することなく、粉粒体５０を支障なく吐出させることができる。また樹脂の使用量を削減でき、定量取り出し用キャップ１を軽量化できる。
【００３１】
更に、定量取り出し用キャップ１は、内部の底部材１０を外した図２に示すような状態で一体成型できる。尚、本発明では一体成型でなく蓋部１３を個別に成形し、後から定量取り出し用キャップ１に組付けるようにしてもよい。
【００３２】
上記実施形態は、本発明の好ましい定量取り出し用キャップの一例であり、本発明はこの構成に限定されるものではない。例えば、容器本体２や内部構造としてのスカート部１５、開口筒体２５、底部材１０などの横断面形状は、それぞれ独立に、または統一的に円形、楕円形、方形、またはそれらの変形であってよい。
【００３３】
また、定量取り出し用キャップ１と容器本体２との接合はネジによる方法以外に、例えば定量取り出し用キャップ１と容器本体２との接合部周面に、それぞれ対応する凹／凸条を形成し、これらの係合により接合する構成、またはネジと凹／凸条とを組み合わせた構成などであってもよい。また蓋１３の形状や構成も上記実施形態のものに限定されるものではない。
【００３４】
【発明の効果】
請求項１又は２に記載の定量取り出し用キャップによれば、排出口を頂壁に対して傾斜した開口面に開口させたことから、定量取出容器を完全に倒立させることなく適度な角度に傾斜させることにより、粉粒体を定量取り出し用キャップ内に残留させることなく排出口から円滑に排出でき、常に一定の粉粒体を吐出させることができる。また、傾斜させた開口面に排出口を開口させたため、排出口を覆う蓋を小型にでき邪魔にならず使い勝手を向上できる。また樹脂の使用量を削減でき、定量取り出し用キャップを軽量化できる。
【００３５】
請求項３又は４に記載の定量取り出し用キャップによれば、排出口を頂壁に対して傾斜した開口面に開口させたことから、定量取出容器を完全に倒立させることなく適度な角度に傾斜させることにより、粉粒体を定量取り出し用キャップ内に残留させることなく排出口から円滑に排出でき、常に一定の粉粒体を吐出させることができるとともに、蓋に中足を形成したことから、蓋を開閉させるとき開閉動作に適度なクリック感が発生し、かつ開放した状態で蓋が保持されるので、粉粒体を吐出させているとき粉粒体が蓋に接触することがなく、支障なく粉粒体を吐出させることができる。更に傾斜した開口面に蓋を設ければよいことから、蓋を小型にでき邪魔にならず、良好な使い勝手が得られる。また蓋部分の樹脂の使用量を削減でき、定量取り出し用キャップを軽量化できる。
【図面の簡単な説明】
【図１】本発明にかかる定量取り出し用キャップの一実施形態を示す断面図である。
【図２】本発明にかかる定量取り出し用キャップの一実施形態を示す正面図である。
【図３】本発明にかかる定量取り出し用キャップの一実施形態を示す斜視図である。
【図４】本発明にかかる定量取り出し用キャップの一実施形態を示す斜視図である。
【図５】本発明にかかる定量取り出し用キャップの蓋部分を示す断面図である。
【図６】本発明にかかる定量取り出し用キャップの蓋部分を示す断面図である。
【図７】本発明にかかる定量取り出し用キャップを用いた定量取出容器を示す部分断面図である。
【図８】図７に示す定量取出容器を倒立させた状態を示す部分断面図である。
【図９】図７に示す定量取出容器を正立させた状態を示す部分断面図である。
【図１０】図７に示す定量取出容器を傾斜させた状態を示す部分断面図である。
【符号の説明】
１　定量取り出し用キャップ
２　容器本体
３　開口部
４　ネジ部
５　定量取出容器
１０　底部材
１１　外筒部材
１２　頂壁
１３　蓋
１４　雌ネジ
１５　スカート部
１６　排出口
１７　開口面
１９　ホック
２０　計量部
２２　貯留部
２４　底板部
２５　開口円筒
２７　蓋本体
２８　係合壁
２９　蓋支持部
３０　中足
３１　折り溝
３２　切断線
５０　粉粒体
【図１】
2004123139.tif 000003
【図２】
2004123139.tif 000004
【図３】
2004123139.tif 000005
【図４】
2004123139.tif 000006
【図５】
2004123139.tif 000007
【図６】
2004123139.tif 000008
【図７】
2004123139.tif 000009
【図８】
2004123139.tif 000010
【図９】
2004123139.tif 000011
【図１０】
2004123139.tif 000012